(57)【特許請求の範囲】
【請求項１】
本体と、この本体に頭部が軸支されるハンドルと、
このハンドルの起伏操作によって回動される、互いに逆向きに設けられた上下のクランプ部とを備えたクランプ式鎖錠装置において、
一方のクランプ部を動作させる第１リンクと、
他方のクランプ部を動作させる第２リンクとを備え、
第２リンクの一端に第３リンクの一端が軸支されるとともに、第３リンクの他端に第１リンクが軸支され、
第３リンクは第１リンクに連動して第２リンクを動作させるものであり、この第３リンクと第１リンクおよび第２リンクとを、前記ハンドルの幅方向に重ねて配置したことを特徴とするクランプ式鎖錠装置。
【請求項２】
前記請求項１記載のクランプ式鎖錠装置は、
前記ハンドルを本体に軸支する第１軸と、
前記ハンドルと第１リンクとを枢着する第２軸と、
前記第１リンクと一方のクランプ部とを枢着する第３軸とを備え、
前記第２軸が前記第１軸と第３軸とを結ぶ中立線を越えてハンドルの閉方向に移動するとき、このハンドルを閉方向に作用させるものであって、
前記第３リンクは、
前記第３軸により第１リンクに枢着されるとともに、
前記第４軸により第２リンクに枢着されるものとし、
この第３軸と第４軸との間に、前記第３リンクの回動軸部となる第５軸を設けたことを特徴とするクランプ式鎖錠装置。
【発明の詳細な説明】
【技術分野】
【０００１】
本発明は、クランプ式の鎖錠装置に関するものである。
【背景技術】
【０００２】
電気機器収納用箱等に取付けられた扉を鎖錠するために、クランプ式の鎖錠装置が用いられる。クランプ式の鎖錠装置は、扉に取付けられる本体と、この本体に頭部が軸支されるハンドルと、このハンドルの起伏操作によって回動され、筐体の上下２点をクランプすることで扉を鎖錠する互いに逆向きに設けられた上下のクランプ部とを備えている（特許文献１）。
【０００３】
ここで、上下のクランプ部及び各クランプ部を動作させるリンク部材は、ハンドルの頭部が軸支される第１軸を挟んで、ハンドルの長手方向両側にそれぞれ設けられている（特許文献１、図６）。このため、第１軸を挟んで両側に配置されるリンク部材の分だけ鎖錠装置が長手方向に大きくなってしまうという問題があった。
【先行技術文献】
【特許文献】
【０００４】
【特許文献１】特許第５３４５０８６号公報
【発明の概要】
【発明が解決しようとする課題】
【０００５】
本発明の目的は前記した従来の問題点を解決し、長手方向のサイズを小さくすることができるクランプ式鎖錠装置を提供することである。
【課題を解決するための手段】
【０００６】
上記課題を解決するためになされた本発明は、本体と、この本体に頭部が軸支されるハンドルと、このハンドルの起伏操作によって回動される、互いに逆向きに設けられた上下のクランプ部とを備えたクランプ式鎖錠装置において、一方のクランプ部を動作させる第１リンクと、他方のクランプ部を動作させる第２リンクとを備え、第２リンクの一端に第３リンクの一端が軸支されるとともに、第３リンクの他端に第１リンクが軸支され、第３リンクは第１リンクに連動して第２リンクを動作させるものであり、この第３リンクと第１リンクおよび第２リンクとを、前記ハンドルの幅方向に重ねて配置したことを特徴とするものである。
【０００７】
【０００８】
請求項２記載の発明は、請求項１記載のクランプ式鎖錠装置において、前記ハンドルを本体に軸支する第１軸と、前記ハンドルと第１リンクとを枢着する第２軸と、前記第１リンクと一方のクランプ部とを枢着する第３軸とを備え、前記第２軸が前記第１軸と第３軸とを結ぶ中立線を越えてハンドルの閉方向に移動するとき、このハンドルを閉方向に作用させるものであって、前記第３リンクは、前記第３軸により第１リンクに枢着されるとともに、前記第４軸により第２リンクに枢着されるものとし、この第３軸と第４軸との間に、前記第３リンクの回動軸部となる第５軸を設けたことを特徴とするものである。
【発明の効果】
【０００９】
本発明に係るクランプ式鎖錠装置は、一方のクランプ部を動作させるリンクの一部と、他方のクランプ部を動作させるリンクの一部とを、ハンドルの幅方向に重ねて配置するものとした。これにより、ハンドルの頭部が軸支される第１軸の一方側に、両リンクの一部をハンドルの幅方向に重ねて配置することができるため、クランプ式鎖錠装置の長手方向のサイズを小さくすることができる。
【００１０】
また本発明に係るクランプ式鎖錠装置は、一方のクランプ部を動作させる第１リンクと、他方のクランプ部を動作させる第２リンクとを、ハンドルの幅方向に重ねて配置するとともに、第１リンクに連動して第２リンクを動作させる第３リンクを、ハンドルの幅方向に重ねて配置したものである。これにより、第３リンクを第１リンク及び第２リンクと重ねて第１軸の一方側に配置することができるものとなり、クランプ式鎖錠装置の長手方向のサイズを小さくすることができる。
【００１１】
請求項２に係る発明は、ハンドルを本体に軸支する第１軸と、ハンドルと第１リンクとを枢着する第２軸と、第１リンクと一方のクランプ部とを枢着する第３軸とを備え、第２軸が第１軸と第３軸とを結ぶ中立線を越えてハンドルの閉方向に移動するとき、このハンドルを閉方向に作用させるものである。これにより、ハンドルは常に閉状態に付勢されるため、不用意に扉が開放されることを防ぐことができる。また、第３リンクが第３軸により第１リンクに枢着されるとともに、第４軸により第２リンクに枢着されるものとし、この第３軸と第４軸との間に、第３リンクの回動軸部となる第５軸を設けた。これにより、一方のクランプ部の回動力を、第３リンクを介して第２リンクに伝えることができるものとなり、第２リンクは第１リンクの動作に連動する構造となるため、上クランプ部に戻す力が加わった場合でも、第２リンクに枢着された第３リンクが下クランプ部を戻す方向に回動しようとしても、第２軸が上述の中立線を超えないため、下クランプ部は動かない構造となり、第２リンクに逆動作を防止するトグルバネを別途設ける必要がないものとなる。
【図面の簡単な説明】
【００１２】
【図１】電気機器収納用箱の全体斜視図である。
【図２】図１の要部（クランプ式鎖錠装置）を示す断面図及び斜視図である。
【図３】クランプ式鎖錠装置の正面図および斜視図である。
【図４】クランプ式鎖錠装置の側面図である。
【図５】クランプ式鎖錠装置の分解図である。
【図６】図３の本体を省略した斜視図である。
【図７】クランプ式鎖錠装置のリンク機構を示す断面図である。
【図８】クランプ式鎖錠装置のリンク機構を示す断面図である。
【図９】クランプ式鎖錠装置のリンク機構を示す断面図である。
【図１０】クランプ式鎖錠装置のリンク機構を示す断面図である。
【図１１】（ａ）リンク機構の詳細を示す斜視図である。（ｂ）異なる角度からのリンク機構の詳細を示す斜視図である。（ｃ）下クランプ部を省略した斜視図である。
【図１２】クランプ式鎖錠装置を別角度からみた斜視図である。
【発明を実施するための形態】
【００１３】
以下に本発明の好ましい実施形態を示す。
図１のように、電気機器収納用箱１に取付けられた扉２には、この扉２を鎖錠するためのクランプ式鎖錠装置３が設けられている。クランプ式鎖錠装置３は、図２及び図３のように、扉２に取付けられる本体４と、本体４にその頭部が軸支されるハンドル５と、リンク機構部６とを備える。このリンク機構部６はハンドル５の起伏操作によって回動される互いに逆向きに設けられた上クランプ部７及び下クランプ部８とを有し、またこれら上クランプ部７及び下クランプ部８は、後述するリンク部材２１、２２、２３により回動される。図４のように、下クランプ部８はフック形状を有するものとしており、電気機器収納用箱１側の図示しない金具をクランプすることで扉２を鎖錠することができる。なお本実施形態では、図１に示すように、上クランプ部７及び下クランプ部８の先端にそれぞれロッド棒９を連結して、ロッド棒９を電気機器収納用箱１に形成した金具１ａに係合させ扉２の上下２点をロックできるものとしている。
【００１４】
図４のように、ハンドル５の頭部に対する反対側の端部には、キープレート３１を備えたシリンダ錠３２を設け、ハンドル５を閉状態でロックできるものとしている。そして図５のように、本体４には、前記したシリンダ錠３２が収納されるシリンダ収納部３３を形成するとともに、さらにリンク機構部６を挿通する開口部３４と、ハンドル５の頭部を挿通する筒部３５とをそれぞれ分離して形成するものとしている。また、ハンドル５の頭部は筒部３５内部で第１軸１１により本体４に軸支されている。なお、４１は開口部３４を防水するパッキン、４２はハンドル５の頭部を防水するＯリング、４３は本体４と扉２との間を防水するパッキンである。
【００１５】
図６及び図７のように、ハンドル５は、第２軸１２により第１リンク２１と枢着されており、またこの第１リンク２１は、第３軸１３により下クランプ部８と枢着されている。さらに、この下クランプ部８は第５軸１５により本体４に軸支されている。まとめると、第１軸１１、第５軸１５が本体４に対する固定点であり、ハンドル５を閉じることにより、第２軸１２、第３軸１３が、図７の状態から図８、図９のような軌跡で円弧運動をすることで、第１リンク２１及び下クランプ部８を回動させ、図１０の状態となる。このように、第１軸１１、第２軸１２、第３軸１３、第５軸１５の４点によるリンク機構により、下クランプ部８を回動させるように動作させるものとしている。なお、このリンク機構は、図７に示す第１軸１１と第３軸１３とを結ぶ直線が中立線２５となり、第２軸１２が中立線２５を越えて閉方向に移動すると、戻す力が加わってもハンドル５を動かすことができないトグル機構を構成している。
【００１６】
さらに、図１０のように中立線２５を越えて第２軸１２がハンドル５の閉方向に移動した場合に、このハンドル５を閉方向に付勢するように作用するトグルバネ２６を、図２、図６、図１２に示すように配置するものとしている。すなわち、第２軸１２が中立線２５を越えてハンドル５側（ハンドル５の開方向）に移動しない限り、ハンドル５は常に閉状態に付勢されており、これにより不用意に扉２が開放されることを防ぐものとしている。
【００１７】
次に上クランプ部７について説明する。上クランプ部７は第７軸１７に軸支されており、さらに第６軸１６によって第２リンク２２の先端（上端）と枢着されている。また、第２リンク２２の基端には、第４軸１４により第１リンク２１と第２リンク２２と幅方向に重複するように配置された第３リンク２３が枢着されている。この第３リンク２３は、第３軸１３と下クランプ部８を軸支する第５軸１５とによって枢着されており、下クランプ部８に連動するように設けられ、そして第３軸１３により第１リンク２１に枢着されることで、第１リンク２１と連動して動作するものである。なお、第７軸１７には第４リンク２４が枢着されている。
【００１８】
まとめると、第１リンク２１が駆動することにより、第４軸１４及び第６軸１６が図７の状態から図８、図９のような軌跡で円弧運動をすることで、第３リンク２３、第２リンク２２、及び上クランプ部７を回動させ、図１０の状態となる。このようなリンク機構により、下クランプ部８の回動力を、第３リンク２３を介して第２リンク２２に伝えることで、上クランプ部７を連動して回動させるものとしている。このような構造を採用することで、第２リンク２２は第１リンク２１の動作に連動するものとなるため、詳しくは、上クランプ部７に戻す力が加わった場合でも、第２リンク２２に枢着された第３リンク２３が下クランプ部８を戻す方向に回動しようとしても、第２軸１２が上述の中立線２５を超えないため、下クランプ部８は動かない構造となり、第２リンク２２に逆動作を防止するトグルバネ２６を別途設ける必要がなく、部品点数の削減が可能となる。
【００１９】
ここで、図６及び図１１のように、下クランプ部８を動作させる第１リンク２１と、上クランプ部７を動作させる第２リンク２２とを、ハンドル５の幅方向に重ねて配置するものとしている。これにより、ハンドル５の頭部が軸支される第１軸１１の一方側に、第１リンク２１と第２リンク２２とを重ねて配置することができるため、従来技術と比較してクランプ式鎖錠装置３の長手方向のサイズを小さくすることができる。さらに、第３リンク２３も第１リンク２１及び第２リンク２２に対してハンドル５の幅方向に重ねて配置することで、クランプ式鎖錠装置３の長手方向のサイズを小さくするものとしている。
【００２０】
なお、本実施形態では、第１リンク２１は下クランプ部８に直接接続されているが、第１リンク２１の動作を下クランプ部８に伝えるように作用する他のリンク部材を介するものであっても差し支えない。同様に、第２リンク２２の動作を上クランプ部７に伝えるように作用する他のリンク部材を介するものとしても良い。そして、これら両リンク部材をハンドル５の幅方向に重ねることで、クランプ式鎖錠装置３の長手方向のサイズを小さくするものとしても良い。
【００２１】
また図７のように、第２リンク２２には長孔１８を形成して第２軸１２の動きを逃がすものとし、各リンク２１、２２、２３をハンドル５の幅方向に重ねて配置できるものとしている。
【００２２】
図２のように、第４リンク２４を本体４に固定するにあたり、本体４を扉２に取付けるための取付部２７を兼用するものとして、ねじ２７ａにより取付部２７、本体４、扉２を一度に固定するものであるため、さらにクランプ式鎖錠装置３のサイズを小さくすることができるものとしている。なお、取付部２７の他方側（下側）はハンドル係合部２８を形成しており、本実施形態のクランプ式鎖錠装置３は、ハンドル係合部２８に扉２を係合させた後に、ねじ２８ａで圧入し、そしてねじ２７ａにより扉２に固定するものとしている。
【符号の説明】
【００２３】
１  電気機器収納用箱
１ａ  金具
２  扉
３  クランプ式鎖錠装置
４  本体
５  ハンドル
６  リンク機構部
７  上クランプ部
８  下クランプ部
９  ロッド棒
１１  第１軸
１２  第２軸
１３  第３軸
１４  第４軸
１５  第５軸
１６  第６軸
１７  第７軸
１８  長孔
２１  第１リンク
２２  第２リンク
２３  第３リンク
２４  第４リンク
２５  中立線
２６  トグルバネ
２７  取付部
２７ａ  ねじ
２８  ハンドル係合部
２８ａ  ねじ
３１  キープレート
３２  シリンダ錠
３３  シリンダ収納部
３４  開口部
３５  筒部
４１  パッキン
４２  Ｏリング
４３  パッキン
【図１】
0006598590.tif 000002
【図２】
0006598590.tif 000003
【図３】
0006598590.tif 000004
【図４】
0006598590.tif 000005
【図５】
0006598590.tif 000006
【図６】
0006598590.tif 000007
【図７】
0006598590.tif 000008
【図８】
0006598590.tif 000009
【図９】
0006598590.tif 000010
【図１０】
0006598590.tif 000011
【図１１】
0006598590.tif 000012
【図１２】
0006598590.tif 000013